(57)【要約】【課題】省エネ用電源遮断回路８４でオン／オフされる給電ライン系統の異常検出を強化。【解決手段】給電ライン＋２４Ｖへの給電を遮断するスイッチ８４をオフにするとき、オフに消勢してから１００ｍｓｅｃ経過時の給電ライン電圧が閾値Ａ未満であると、異常警報を発生する（図１１の６２）。３００ｍｓｅｃ経過時の電圧が閾値Ｂを超えると、異常警報を発生する。給電するためにスイッチ８５をオンにするとき、時系列では電源電圧より低い電圧を出力する状態に付勢して、給電ライン電圧が閾値Ｃ未満であると、異常警報を発生しスイッチ８５をオフに拘束する。スイッチ８４の付勢を出力電圧を次第に高くするように順次に変更した時点の給電ライン電圧が閾値Ｃ未満であると、異常警報を発生してスイッチ８４をオフに拘束する。【選択図】　図５
2004102184.tif 000002
【特許請求の範囲】
【請求項１】
給電ラインへの給電を遮断するために該給電ラインと給電電源の間に介挿したスイッチング手段をオフにするとき、該スイッチング手段をオフに消勢してから、設定短時間経過時の前記給電ラインの電圧が閾値Ａ未満であると、異常警報を発生する、給電ラインの異常検出方法。
【請求項２】
前記設定短時間より長い設定時間経過時の電圧が閾値Ｂを超えると、異常警報を発生する、請求項１に記載の給電ラインの異常検出方法。
【請求項３】
給電ラインに給電を開始するために該給電ラインと給電電源の間に介挿したスイッチング手段をオンにするとき、該スイッチング手段を、時系列では前記給電電源の出力電圧より低い電圧を出力する状態に付勢して、給電ラインに現れる電圧が閾値Ｃ未満であると、異常警報を発生してスイッチング手段をオフに拘束する、請求項１又は２に記載の給電ラインの異常検出方法。
【請求項４】
前記スイッチング手段の付勢を出力電圧を次第に高くするように順次に変更した時点の前記給電ラインの電圧が閾値Ｃ未満であると、異常警報を発生してスイッチング手段をオフに拘束する、請求項３に記載の給電ラインの異常検出方法。
【請求項５】
給電電源と電気回路への給電ラインとの間に介挿されたスイッチング手段；
該スイッチング手段から電気回路への給電ラインの電圧を検出する手段；および、
動作モードから省エネモードに切換えるために前記スイッチング手段をオフにするとき、該スイッチング手段をオフに消勢してから、設定短時間経過時の前記給電ラインの電圧が閾値Ａ未満であると、異常警報を発生する、省エネ制御手段；を備える省エネ制御装置。
【請求項６】
用紙上に画像を形成する作像手段；
該作像手段に対して用紙を給排する手段；
給電電源；
前記作像手段および給排手段に給電する電気回路と前記給電電源との間に介挿されたスイッチング手段；
該スイッチング手段から前記電気回路への給電ラインの電圧を検出する手段；および、
動作モードから省エネモードに切換えるために前記スイッチング手段をオフにするとき、該スイッチング手段をオフに消勢してから、設定短時間経過時の前記給電ラインの電圧が閾値Ａ未満であると、異常警報を発生する、省エネ制御手段；を備える画像形成装置。
【発明の詳細な説明】
【０００１】
【発明の属する技術分野】
本発明は、給電ラインの異常検出，該異常検出をする省エネ制御装置およびそれを用いる画像形成装置に関し、異常検出および省エネ制御装置は多くの電気機器に利用することができる。画像形成装置は、例えば、プリンタ，複写機およびファクシミリに利用することができる。
【０００２】
【従来技術】
【特許文献１】特開２００１−１２７８５１には、ＤＣ電源と主制御部の間にスイッチを介挿し、ＤＣ電源から常時給電される副制御部が、省エネモードに移行するときに該スイッチを開放し、省エネモードのときに副制御部が異常を検出すると、あるいは動作モードへ移行すべき要因が発生すると、該スイッチを閉じる通信端末装置が提示されている。その実施例では、異常検知は、回線接続状態検出，カバー開閉操作検知，記録紙有無の切換り，トナー有無の切換り等であり、動作モード移行要因は、着信検出，原稿センサによる原稿検知，省エネキーの操作等である。
【０００３】
【特許文献２】特開平８−２６５９６８には、交流電源に第１電源リレーおよび第２電源リレーを接続して、機内電源には第２電源リレーから給電し、該機内電源から制御回路に給電し、第１電源リレーの出力ラインの電圧を検出して、該制御回路によって、第１，２電源リレーのＯＮの経過と検出電圧に基づいて、第１，２電源リレーの故障を判定する電源遮断装置が開示されている。
【０００４】
【特許文献３】特開平８−２６５４９５には、定常的に自己診断を実現するために、省エネモードに移行するときに、ホスト装置からスキャナとプリンタに順次に自己診断コマンドを与えて診断結果情報を収集してから省エネモードに給電を切り換えて、省エネモードから動作モードに復帰したときに、診断結果に応じて、ファクミリの情報処理を切換えるファクシミリを開示している。
【０００５】
【発明が解決しようとする課題】
近年、画像形成装置およびその他の機器の省エネ化が進んでいる。その際、たとえば画像形成装置の場合には、画像形成動作以外の状態（スタンバイモード：動作モード，低電力状態＝低電力モード：省エネモード，スリープ状態＝休止モード：省エネモード）の低電力化，省電力化が、通電／稼動の時間も長く効果的である。
【０００６】
そのために、画像形成動作以外の状態で通電または非通電による影響（操作モードに違いの無いレベル）が、ユーザ操作や生産性に関係しない電気回路部分では、ＦＥＴやトランジスタの使用による電源系統遮断回路を形成し遮断する構成が採用されている。
【０００７】
一般的に、給電対象の電気回路の短絡，断線，カバー開，コネクタ接続断などの異常又は不備（以下では、あわせて異常と表現することもある）を検出することが、例えば元電源スイッチが投入された直後に、行われている。上述の電源系統遮断回路が加わると、その故障の監視も必要になる。また、電源系統遮断回路が加わることにより、元電源スイッチは常に投入しておいて、電源系統遮断回路で給電ラインをオン／オフすることになり、電源系統遮断回路のオン／オフが頻繁になり、元電源スイッチ投入直後の給電ラインの異常検出の機会が少なくなっている。
【０００８】
本発明は、電源系統遮断回路によって給電がオン／オフされる給電ライン系統の異常検出を強化することを目的とする。
【０００９】
【課題を解決するための手段】
（１）給電ライン（＋２４Ｖ）への給電を遮断するために該給電ラインと給電電源の間に介挿したスイッチング手段（８４）をオフにするとき、該スイッチング手段をオフに消勢してから、設定短時間（１００ｍｓｅｃ）経過時の前記給電ラインの電圧が閾値Ａ未満であると、異常警報を発生する（図１１の６２）、給電ラインの異常検出方法。
【００１０】
なお、理解を容易にするためにカッコ内には、図面に示し後述する実施例の対応要素又は相当事項の記号もしくは対応事項を、例示として参考までに付記する。以下も同様である。
【００１１】
スイッチング手段（８４）のオフにより給電ライン（＋２４Ｖ）を通電から非通電に移行させると、一般的（定常状態）には、給電ライン（＋２４Ｖ）に接続した負荷系をオフしているため、緩やかに電圧降下が生じる。早い電圧降下の場合、負荷のオフ処理が不完全であるか、レアショート（擬似短絡）状態が生じている可能性があるので、異常を報知する。スイッチング手段（８４）をオンからオフにするときにこの異常検出が行われるので、給電ライン系統の異常検出の機会が増える。また、この異常検出は、負荷駆動に不便を与えない。
【００１２】
【発明の実施の形態】
（２）前記設定短時間（１００ｍｓｅｃ）より長い設定時間（３００ｍｓｅｃ）経過時の電圧が閾値Ｂを超えると、異常警報を発生する、上記（１）に記載の給電ラインの異常検出方法。
【００１３】
スイッチング手段（８４）をオンからオフにしたときに給電ラインに電圧降下が生じない場合は、スイッチング手段（８４）が短絡状態と判断できる。この場合にも異常警報が発生する。このように、スイッチング手段（８４）の異常も監視でき修理／保証工程の簡略化が期待できる。
【００１４】
（２ａ）給電ライン（＋２４Ｖ）に給電を開始するために該給電ラインと給電電源（８２）の間に介挿したスイッチング手段（８５）をオンにするとき、該スイッチング手段（８５）を、時系列では前記給電電源の出力電圧より低い電圧を出力する状態に付勢して、給電ラインに現れる電圧が閾値Ｃ未満であると、異常警報を発生してスイッチング手段（８５）をオフに拘束する、給電ラインの異常検出方法（図９，図１３）。
【００１５】
時系列では前記給電電源の出力電圧より低い電圧を出力するソフトな通電でスイッチング手段（８５）をオンさせるため、仮に接続された部品（負荷）が短絡状態で故障していても、定常状態との相違が検出できる。装置製造時点からのレアショートや、市場でのサービスパーソンによるアプリケーションや周辺器の拡張時のヒューマンエラーが生じても、その不良箇所のみの修理で装置ダメージが生じない。装置の２次的なダメージを低減できるため、修理効率も向上でき、信頼性の高い装置が提供できる。ソフト通電でないとヒューマンエラー箇所と合わせてスイッチング手段（８５）の過電流破壊が生じてしまいプリント回路基板の交換／修理といった２次的なダメージも生じる。
【００１６】
（２ｂ）前記スイッチング手段（８４）の付勢を出力電圧を次第に高くするように順次に変更した時点の前記給電ライン（＋２４Ｖ）の電圧が閾値Ｃ未満であると、異常警報を発生してスイッチング手段（８４）をオフに拘束する、上記（２ａ）に記載の給電ラインの異常検出方法。
【００１７】
時系列で前記給電電源の出力電圧より低い電圧を出力し次第に高くするソフトスタート処理でスイッチング手段（８５）をオンさせるため、仮に接続された部品（負荷）が短絡状態で故障していても、定常状態との相違が検出できる。装置製造時点からのレアショートや、市場でのサービスパーソンによるアプリケーションや周辺器の拡張時のヒューマンエラーが生じても、その不良箇所のみの修理で装置ダメージが生じない。装置の２次的なダメージを低減できるため、修理効率も向上でき、信頼性の高い装置が提供できる。
【００１８】
（３）給電ライン（＋２４Ｖ）に給電を開始するために該給電ラインと給電電源（８２）の間に介挿したスイッチング手段（８５）をオンにするとき、該スイッチング手段（８５）を、時系列では前記給電電源の出力電圧より低い電圧を出力する状態に付勢して、給電ラインに現れる電圧が閾値Ｃ未満であると、異常警報を発生してスイッチング手段（８５）をオフに拘束する、上記（１）又は（２）に記載の給電ラインの異常検出方法。これによれば、上記（１）又は（２）に記載の作用効果に加えて、上記（２ａ）に記載の作用効果が得られる。
【００１９】
（４）前記スイッチング手段（８４）の付勢を出力電圧を次第に高くするように順次に変更した時点の前記給電ラインの電圧が閾値Ｃ未満であると、異常警報を発生してスイッチング手段をオフに拘束する、上記（３）に記載の給電ラインの異常検出方法。これによれば、上記（１）又は（２）に記載の作用効果に加えて、上記（３）に記載の作用効果が得られる。
【００２０】
（５）給電電源（８２）と電気回路（１００，１０，３４〜３６）への給電ライン（＋２４Ｖ）との間に介挿されたスイッチング手段（８４）；
該スイッチング手段から電気回路への給電ラインの電圧を検出する手段（９１，９２，１３１／９３〜９６，１３１）；および、
動作モードから省エネモードに切換えるために前記スイッチング手段（８４）をオフにするとき、該スイッチング手段をオフに消勢してから、設定短時間（１００ｍｓｅｃ）経過時の前記給電ラインの電圧が閾値Ａ未満であると、異常警報を発生する、省エネ制御手段（１，１３１）；を備える省エネ制御装置（図１１）。これによれば、上記（１）に記載の作用効果が得られる。
【００２１】
（５ａ）前記省エネ制御手段（１，１３１）は、前記設定短時間（１００ｍｓｅｃ）より長い設定時間（３００ｍｓｅｃ）経過時の電圧が閾値Ｂを超えると、異常警報を発生する、上記（５）に記載の省エネ制御装置。これによれば、上記（２）に記載の作用効果が得られる。
【００２２】
（５ｂ）給電電源（８２）と電気回路（１００，１０，３４〜３６）への給電ライン（＋２４Ｖ）との間に介挿されたスイッチング手段（８４）；
該スイッチング手段から電気回路への給電ラインの電圧を検出する手段（９１，９２，１３１／９３〜９６，１３１）；および、
動作モードから省エネモードに切換えるために前記スイッチング手段（８４）をオンにするとき、該スイッチング手段を、時系列では前記給電電源の出力電圧より低い電圧を出力する状態に付勢して、前記電圧検出手段の検出電圧が閾値Ｃ未満であると、異常警報を発生して前記スイッチング手段をオフに拘束する、省エネ制御手段（１，１３１）；を備える省エネ制御装置。これによれば、上記（２ａ）に記載の作用効果が得られる。
【００２３】
（５ｃ）前記省エネ制御手段（１，１３１）は、前記スイッチング手段（８４）の付勢を出力電圧を次第に高くするように順次に変更した時点の前記給電ラインの電圧が閾値Ｃ未満であると、異常警報を発生してスイッチング手段をオフに拘束する、上記（５ｂ）に記載の省エネ制御装置。これによれば、上記（２ｂ），（５ｂ）に記載の作用効果が得られる。
【００２４】
（５ｄ）前記省エネ制御手段（１，１３１）は、動作モードから省エネモードに切換えるために前記スイッチング手段（８４）をオフにするとき、該スイッチング手段をオフに消勢してから、設定短時間（１００ｍｓｅｃ）経過時の前記電圧検出手段の検出電圧が閾値Ａ未満であると、異常警報を発生する上記（５ｂ）に記載の省エネ制御装置。
これによれば、上記（１），（５ｂ）に記載の作用効果が得られる。
【００２５】
（５ｅ）前記省エネ制御手段（１，１３１）は、前記設定短時間（１００ｍｓｅｃ）より長い設定時間（３００ｍｓｅｃ）経過時の電圧が閾値Ｂを超えると、異常警報を発生する、上記（５ｄ）に記載の省エネ制御装置。これによれば、上記（２），（５ｄ）に記載の作用効果が得られる。
【００２６】
（６）用紙上に画像を形成する作像手段（１００内）；
該作像手段に対して用紙を給排する手段（３４〜３６内）；
給電電源（８２）；
前記作像手段および給排手段に給電する電気回路（１００，３４〜３６内）と前記給電電源（８２）との間に介挿されたスイッチング手段（８４）；
該スイッチング手段（８４）から前記電気回路への給電ライン（＋２４Ｖ）の電圧を検出する手段（９１，９２，１３１／９３〜９６，１３１）；および、
動作モードから省エネモードに切換えるために前記スイッチング手段（８４）をオフにするとき、該スイッチング手段をオフに消勢してから、設定短時間経過時の前記給電ラインの電圧が閾値Ａ未満であると、異常警報を発生する、省エネ制御手段（１，１３１）；
を備える画像形成装置。これによれば、画像形成装置において上記（１）の作用効果が得られる。
【００２７】
（７）前記省エネ制御手段は、前記設定短時間より長い設定時間経過時の電圧が閾値Ｂを超えると、異常警報を発生する、上記（６）に記載の画像形成装置。
【００２８】
（８）用紙上に画像を形成する作像手段；
該作像手段に対して用紙を給排する手段；
給電電源；
前記作像手段および給排手段に給電する電気回路と前記給電電源との間に介挿されたスイッチング手段；
該スイッチング手段から前記電気回路への給電ラインの電圧を検出する手段；および、
省エネモードから動作モードに切換えるために前記スイッチング手段をオンにするとき、該スイッチング手段を、時系列では前記給電電源の出力電圧より低い電圧を出力する状態に付勢して、前記電圧検出手段の検出電圧が閾値Ｃ未満であると、異常警報を発生して前記スイッチング手段をオフに拘束する、省エネ制御手段；を備える画像形成装置。
【００２９】
（９）前記省エネ制御手段は、前記スイッチング手段の付勢を出力電圧を次第に高くするように順次に変更した時点の前記給電ラインの電圧が閾値Ｃ未満であると、異常警報を発生してスイッチング手段をオフに拘束する、上記（８）に記載の画像形成装置。
【００３０】
（１０）前記省エネ制御手段は、省エネモードから動作モードに切換えるために前記スイッチング手段をオンにするとき、該スイッチング手段を、時系列では前記給電電源の出力電圧より低い電圧を出力する状態に付勢して、前記電圧検出手段の検出電圧が閾値Ｃ未満であると、異常警報を発生して前記スイッチング手段をオフに拘束する、上記（６）に記載の画像形成装置。
【００３１】
（１１）前記省エネ制御手段は、前記スイッチング手段の付勢を出力電圧を次第に高くするように順次に変更した時点の前記給電ラインの電圧が閾値Ｃ未満であると、異常警報を発生してスイッチング手段をオフに拘束する、上記（１０）に記載の画像形成装置。
【００３２】
（１２）前記省エネ制御手段は、前記異常警報を発生するとき、前記用紙上に画像を形成する作像手段および用紙を給排する手段に、自己診断コマンドを与える、上記（７）〜（１１）のいずれかの画像形成装置。
【００３３】
（１３）一連の画像形成動作を制御する制御部（１，１３１）と待機時に通電を継続する電源系統（＋５Ｖ）と、制御部により待機時に通電または非通電を選択可能な電源系統（＋２４Ｖ）とその電源系統遮断回路（８４）と前記通電または非通電を選択可能な電源系統（＋２４Ｖ）の電源状態を監視するための検出回路（９１，９２，１３１／９３〜９６，１３１）とを有する画像形成装置において、
前記通電または非通電を選択可能な電源系統（＋２４Ｖ）を通電（オン）から非通電（オフ）に移行させる際に検出手段の検出結果に応じて自己診断機能（図１１の６２，７１，図７の２４ｂ）を動作させることを特徴とする画像形成装置。
【００３４】
制御部により電源系統遮断回路を操作し電源系統を通電から非通電に移行させると、一般的（定常状態）には、負荷系をＯＦＦ（オフ）しているため、緩やかに電圧降下が生じる。ＡＤ変換または、異なる闘値で構成される検出回路（図６の（ｂ））がそれを検出できないで早い電圧降下の場合、負荷のＯＦＦ処理が不完全であるか、レアショート状態が生じているとして、負荷のＯＦＦ処理を含めたリトライ処理を行うことができる。電圧降下が生じない場合は、電源系統遮断回路を構成しているＦＥＴやトランジスタが短絡状態と判断できる。このように、電源系統遮断回路を生成しているＦＥＴやトランジスタの故障や、対象負荷の異常検出を通電から非通電の状態遷移で監視し正確な自己診断を実施することができる。装置状態を正確に監視でき修理／保証工程の簡略化が期待できる。
【００３５】
（１４）一連の画像形成動作を制御する制御部と待機時に通電を継続する電源系統と、制御部により待機時に通電または非通電を選択可能な電源系統とその電源系統遮断回路と前記通電または非通電を選択可能な電源系統の電源状態を監視するための検出回路とを有する画像形成装置において、
通電または非通電を選択可能な電源系統を非通電から通電に移行させる際に検出手段の検出結果に応じて電源系統遮断回路を段階的に動作（図１３の４０ａ〜４０ｃ）させることを特徴とする画像形成装置。
【００３６】
直ちに電源系統遮断回路により電源投入を行わず非通電から通電の状態遷移において、対象負荷やその周辺に短絡、過電流を監視し、連鎖的な装置ダメージを未然に防止する。すなわち、ソフトスタート処理で電源系統遮断回路を構成しているＦＥＴやトランジスタを動作させるため、仮に部品（負荷）が短絡状態で故障していてもＦＥＴやトランジスタの動作遅れ範囲ないで定常状態との相違が検出できる。装置製造時点からのレアショートや、市場でのサービスパーソンによるアプリケーションや周辺器の拡張時のヒューマンエラーが生じても、その不良箇所のみの修理で装置ダメージが生じない。画像形成装置の２次的なダメージを低減できるため、修理効率も向上でき、信頼性の高い画像形成装置が提供できる。
【００３７】
（１５）上記（１４）の画像形成装置において、電源系統を非通電から通電に移行させる際に検出手段の検出結果に応じて自己診断機能を動作させることを特徴とする画像形成装置。すなわち、直ちに電源系統遮断回路により電源投入を行わず、非通電から通電の状態遷移において、対象負荷やその周辺に短絡，過電流を監視し、連鎖的な装置ダメージがない段階で正確な自己診断を実施することができる。
【００３８】
【実施例】
−第１実施例−
図１に、本発明の第１実施例の複合機能フルカラーデジタル複写機の外観を示す。このフルカラー複写機は、大略で、自動原稿送り装置（ＡＤＦ）３０と、操作ボード２０と、カラースキャナ１０と、カラープリンタ１００の各ユニットで構成されている。ステープラ及び作像された用紙を積載可能なトレイ付きのフィニッシャ３４と、両面ドライブユニット３３と、増設給紙バンク３５と、大容量給紙トレイ３６は、プリンタ１００に装着されているが、これらはプリンタ１００から分離可能な周辺ユニットであり、各々動力機器ドライバやセンサ入力およびコントローラを有する制御ボードを有して、画像形成装置本体であるプリンタ１００の制御ボード（のプロセスコントローラ１３１：図４）と直接または間接に通信を行いタイミング制御されて用紙の送給，搬送の動作を行う。なお、操作ボード２０と、ＡＤＦ３０付きのカラースキャナ１０もプリンタ１００から分離可能なユニットであり、カラースキャナ１０も動力機器ドライバやセンサ入力およびコントローラを有する制御ボードを有して、プリンタ１００の制御ボードと直接または間接に通信を行いタイミング制御されて原稿画像の読み取りを行う。
【００３９】
機内の画像データ処理装置ＡＣＰ（図４）には、パソコンＰＣが接続したＬＡＮ（Ｌｏｃａｌ　Ａｒｅａ　Ｎｅｔｗｏｒｋ）が接続されており、ファクシミリコントロールユニットＦＣＵ（図４）には、電話回線ＰＮ（ファクシミリ通信回線）に接続された交換器ＰＢＸが接続されている。カラープリンタ１００のプリント済の用紙は、排紙トレイ１０８上またはフィニッシャ３４に排出される。
【００４０】
図２に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向ｙ）に沿ってこの順に配置されている。即ち、４連ドラム方式のフルカラー画像形成装置である。
【００４１】
これらマゼンダ（Ｍ），シアン（Ｃ），イエロー（Ｙ）および黒（Ｋ）のトナー像形成ユニットは、それぞれ、感光体ドラム１１１Ｍ，１１１Ｃ，１１１Ｙおよび１１１Ｋを有する感光体ユニット１１０Ｍ，１１０Ｃ，１１０Ｙおよび１１０Ｋと、現像ユニット１２０Ｍ，１２０Ｃ，１２０Ｙおよび１２０Ｋとを備えている。また、各トナー像形成部の配置は、各感光体ユニット内の感光体ドラム１１１Ｍ，１１１Ｃ，１１１Ｙおよび１１１Ｋの回転軸が水平ｘ軸（主走査方向）に平行になるように、且つ、転写紙移動方向ｙ（副走査方向）に所定ピッチの配列となるように、設定されている。
【００４２】
また、レーザプリンタ１００は、上記トナ−像形成ユニットのほか、レーザ走査による光書込ユニット１０２、給紙カセット１０３，１０４、レジストローラ対１０５、転写紙を担持して各トナ−像形成部の転写位置を通過するように搬送する転写搬送ベルト１６０を有する転写ベルトユニット１０６、ベルト定着方式の定着ユニット１０７、排紙トレイ１０８，両面ドライブ（面反転）ユニット３３等を備えている。また、レーザプリンタ１００は、図示していない手差しトレイ、トナ−補給容器、廃トナーボトル、なども備えている。
【００４３】
光書込ユニット１０２は、光源、ポリゴンミラー、ｆ−θレンズ、反射ミラー等を備え、画像データに基づいて各感光体ドラム１１１Ｍ，１１１Ｃ，１１１Ｙおよび１１１Ｋの表面にレーザ光を、ｘ方向に振り走査しながら照射する。また図２上の一点鎖線は、転写紙の搬送経路を示している。給紙カセット１０３，１０４から給送された転写紙は、図示しない搬送ガイドで案内されながら搬送ローラで搬送され、レジストローラ対１０５に送られる。このレジストローラ対１０５により所定のタイミングで転写搬送ベルト１６０に送出された転写紙は転写搬送ベルト１６０で担持され、各トナ−像形成部の転写位置を通過するように搬送される。
【００４４】
各トナー像形成部の感光体ドラム１１１Ｍ，１１１Ｃ，１１１Ｙおよび１１１Ｋに形成されたトナー像が、転写搬送ベルト１６０で担持され搬送される転写紙に転写され、各色トナー像の重ね合わせ即ちカラー画像が形成された転写紙は、定着ユニット１０７に送られる。すなわち転写は、転写紙上にじかにトナー像を転写する直接転写方式である。定着ユニット１０７を通過する時トナー像が転写紙に定着する。トナー像が定着した転写紙は、排紙トレイ１０８，フィニッシャ３６又は両面ドライブユニット３３に排出又は送給される。
【００４５】
イエローＹのトナ−像形成ユニットの概要を次に説明する。他のトナ−像形成ユニットも、イエローＹのものと同様な構成である。イエローＹのトナー像形成ユニットは、前述のように感光体ユニット１１０Ｙ及び現像ユニット１２０Ｙを備えている。感光体ユニット１１０Ｙは、感光体ドラム１１１Ｙのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。
【００４６】
感光体ユニット１１０Ｙにおいて、交流電圧が印加された帯電ローラにより一様帯電された感光体ドラム１１１Ｙの表面に、光書込ユニット１０２で、プリントデータに基づいて変調されポリゴンミラーで偏向されたレーザ光Ｌが走査されながら照射されると、感光体ドラム１１１Ｙの表面に静電潜像が形成される。感光体ドラム１１ＩＹ上の静電潜像は、現像ユニット２０Ｙで現像されてイエローＹのトナー像となる。転写搬送ベルト１６０上の転写紙が通過する転写位置では、感光体ドラム１１ＩＹ上のトナー像が転写紙に転写される。トナ−像が転写された後の感光体ドラム１１１Ｙの表面は、ブラシローラで所定量の潤滑剤が塗布された後、ブレードでクリーニングされ、除電ランプから照射された光によって除電され、次の静電潜像の形成に備えられる。
【００４７】
現像ユニット１２０Ｙは、磁性キャリア及びマイナス帯電のトナ−を含む二成分現像剤を収納している。そして、現像ケース１２０Ｙの感光体ドラム側の開口から一部露出するように配設された現像ローラや、搬送スクリュウ、ドクタブレード、トナ−濃度センサ，粉体ポンプ等を備えている。現像ケース内に収容された現像剤は、搬送スクリュウで攪拌搬送されることにより摩擦帯電する。そして、現像剤の一部が現像ローラの表面に担持される。ドクタブレードが現像ローラの表面の現像剤の層厚を均一に規制し、現像ローラの表面の現像剤中のトナーが感光体ドラムに移り、これにより静電潜像に対応するトナー像が感光体ドラム１１１Ｙ上に現われる。現像ケース内の現像剤のトナー濃度はトナ−濃度センサで検知される。濃度不足の時には、粉体ポンプが駆動されてトナーが補給される。
【００４８】
転写ベルトユニット１０６の転写搬送ベルト１６０は、各トナ−像形成部の感光体ドラム１１１Ｍ，１１１Ｃ，１１１Ｙおよび１１１Ｋに接触対向する各転写位置を通過するように、４つの接地された張架ローラに掛け回されている。張架ローラの１つが１０９である。これらの張架ローラのうち、２点鎖線矢印で示す転写紙移動方向上流側の入口ローラには、電源から所定電圧が印加された静電吸着ローラが対向するように配置されている。これらの２つのローラの間を通過した転写紙は、転写搬送ベルト１６０上に静電吸着される。また、転写紙移動方向下流側の出口ローラは、転写搬送ベルトを摩擦駆動する駆動ローラであり、図示しない駆動源に接続されている。また、転写搬送ベルト１６０の外周面には、電源から所定のクリーニング用電圧が印加されたバイアスローラが接触するように配置されている。このバイアスローラにより転写搬送ベルト１６０上に付着したトナ−等の異物が除去される。
【００４９】
また、感光体ドラム１１１Ｍ，１１１Ｃ，１１１Ｙおよび１１１Ｋに接触対向する接触対向部を形成している転写搬送ベルト１６０の裏面に接触するように、転写バイアス印加部材を設けている。これらの転写バイアス印加部材は、マイラ製の固定ブラシであり、各転写バイアス電源から転写バイアスが印加される。この転写バイアス印加部材で印加された転写バイアスにより、転写搬送ベルト１６０に転写電荷が付与され、各転写位置において転写搬送ベルト１６０と感光体ドラム表面との間に所定強度の転写電界が形成される。
【００５０】
転写搬送ベルト１６０で搬送され、感光体ドラム１１１Ｍ，１１１Ｃ，１１１Ｙおよび１１１Ｋに形成された各色トナー像が転写された用紙は、定着装置１０７に送り込まれてそこで、トナー像が加熱，加圧によって用紙に熱定着される。熱定着後、用紙は左側板の上部のフィニッシャ３４への排紙口３４ｏｔからフィニッシャ３４に送り込まれる。又は、プリンタ本体の上面の排紙トレイ１０８に排出される。
【００５１】
４個の感光体ドラムの中の、マゼンダ像，シアン像およびイエロー像形成用の感光体ドラム１１１Ｍ，１１１Ｃおよび１１１Ｙは、図示しないカラードラム駆動用の１個の電気モータ（カラードラムモータ；カラードラムＭ：図示略）により、動力伝達系及び減速機（図示略）を介して１段減速にて駆動される。ブラック像形成用の感光体ドラム１１１Ｋはブラックドラム駆動用の１個の電気モータ（Ｋドラムモータ：図示略）により、動力伝達系及び減速機（図示略）を介して１段減速にて駆動される。また、転写搬送ベルト１６０は、上記Ｋドラムモータによる動力伝達系を介した転写駆動ローラの駆動により、回動移動する。従って、上記Ｋドラムモータは、Ｋ感光体ドラム１１Ｋと転写搬送ベルト６０を駆動し、上記カラードラムモータは、Ｍ，Ｃ，Ｙ感光体ドラム１１Ｍ，１１Ｃ，１１Ｙを駆動する。
【００５２】
また、Ｋ現像器１２０Ｋは、定着ユニット１０７を駆動している電気モータ（図示略）で、動力伝達系およびクラッチ（図示略）を介して駆動される。Ｍ，Ｃ，Ｙ現像器１２０Ｍ，１２０Ｃ，１２０Ｙは、レジストローラ１０５を駆動する電気モータ（図示略）で、動力伝達系およびクラッチ（図示略）を介して駆動される。現像器１２０Ｍ，１２０Ｃ，１２０Ｙ，１２０Ｋは絶えず駆動されている訳ではなく、所定タイミングを持って駆動出来る様、上記クラッチにより駆動伝達を受ける。
【００５３】
再度図１を参照する。フィニッシャ３４は、スタッカトレイすなわち積載降下トレイ３４ｈｓおよびソートトレイ群３４ｓｔを持ち、積載降下トレイ３４ｈｓに用紙（プリント済紙，転写済紙）を排出するスタッカ排紙モードと、ソートトレイ群３４ｓｔに排紙するソータ排紙モードを持つ。
【００５４】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００５５】
ソータ排紙モードが指定されるとフィニッシャ内排紙コントローラは、最下部の重ね待避位置に置いたソートトレイ群３４ｓｔを、図１上で２点鎖線で示す使用位置に上駆動し、ソータトレイ間の間隔を広げる。ソータ排紙モードでは、１回（一人）の設定枚数の複写又はプリントは、部ソートにソータ排紙モードが設定されているときには、同一原稿（画像）をプリントした各転写紙をソートトレイ群３４ｓｔの各トレイに仕分け収納する。頁ソートにソータ排紙モードが設定されているときには、各トレイを各頁（画像）に割り当てて、同一頁をプリントした各転写紙を１つのソートトレイに積載する。
【００５６】
図３に、スキャナ１０およびそれに装着されたＡＤＦ３０の、原稿画像読み取り機構を示す。このスキャナ１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００５７】
スキャナ１０には、自動原稿供給装置ＡＤＦ　３０が装着されている。ＡＤＦ３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。原稿は、読み取りガラス２４０を通過する際に、その直下に移動している照明ランプ２３２により照射され、原稿の反射光は、第１ミラー２３３以下の光学系を介してＣＣＤ２０７に照射され光電変換される。
【００５８】
読み取りガラス２４０と原稿始端の位置決め用のスケール２５１との間には、白基準板２３９、ならびに、第１キャリッジを検出する基点センサ２４９がある。白基準板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。このシェーディング補正は、まず白基準板２３９を原稿スキャン前に主走査方向１ライン分読み取り、この読み取った白基準データをメモリに記憶し、原稿画像を読み取るときは、原稿をスキャンした画素毎に、画像データを前記メモリ上の対応する白基準データで割り算するものである。
【００５９】
図４に、図１に示す複写機の画像処理系統のシステム構成を示す。このシステムでは、読取ユニット１１と画像データ出力Ｉ／Ｆ（Ｉｎｔｅｒｆａｃｅ：インターフェイス）１２でなるカラー原稿スキャナ１０が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ（Ｉｍａｇｅ　Ｐｒｏｃｅｓｓｉｎｇ　Ｐｒｏｃｅｓｓｏｒ；以下では単にＩＰＰと記述）から、書込みＩ／Ｆ１３４に記録画像データを受けて、作像ユニット１３５でプリントアウトする。作像ユニット１３５は、図２に示すものである。
【００６０】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリであるメモリモジュールＭＥＭ（以下では単にＭＥＭと記述），システムコントローラ１，ＲＡＭ４，不揮発メモリ５，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。操作ボード２０はシステムコントローラ１に接続している。
【００６１】
カラー原稿スキャナ１０の、原稿を光学的に読み取る読取ユニット１１は、原稿に対するランプ照射の反射光をセンサボードユニットＳＢＵ上のＣＣＤで光電変換してＲ，Ｇ，Ｂ画像データを生成し、ＲＧＢ画像データに変換しかつシェーディング補正して、出力Ｉ／Ｆ１２を介してＣＤＩＣに送出する。
【００６２】
ＣＤＩＣは、画像データに関し、出力Ｉ／Ｆ１２，パラレルバスＰｂ，ＩＰＰ間のデータ転送，プロセスコントローラ１３１とＡＣＰの全体制御を司るシステムコントローラ１との間の通信をおこなう。また、ＲＡＭ１３２はプロセスコントローラ１３１のワークエリアとして使用され、不揮発メモリ１３３はプロセスコントローラ１３１の動作プログラム等を記憶している。
【００６３】
画像メモリアクセス制御ＩＭＡＣ（以下では単にＩＭＡＣと記述）は、ＭＥＭに対する画像データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００６４】
操作ボード２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００６５】
スキャナ１０の読取ユニット１１より読み取った画像データは、スキャナ１０のＳＢＵ（センサボードユニット）でシェーディング補正２１０を施してから、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００６６】
ＩＭＡＣは、システムコントローラ１の制御に基づいて、画像データとＭＥＭのアクセス制御，ＬＡＮ上に接続した図示しないパソコンＰＣ（以下では単にＰＣと表記）のプリント用データの展開，ＭＥＭの有効活用のための画像データの圧縮／伸張をおこなう。
【００６７】
ＩＭＡＣへ送られた画像データは、データ圧縮後、ＭＥＭに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に再生画像を形成する。
【００６８】
画像データの流れにおいて、パラレルバスＰｂおよびＣＤＩＣでのバス制御により、デジタル複合機の機能を実現する。ファクシミリ送信は、スキャナ１０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００６９】
複数ジョブ、たとえば、コピー機能，ファクシミリ送受信機能，プリンタ出力機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００７０】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１３１間の通信を行う。
【００７１】
各種バスインターフェース、たとえばパラレルバスＩ／Ｆ　７、シリアルバスＩ／Ｆ　９、ローカルバスＩ／Ｆ　３およびネットワークＩ／Ｆ　８は、ＩＭＡＣに接続されている。コントローラーユニット１は、ＡＣＰ全体の中での独立性を保つために、複数種類のバス経由で関連ユニットと接続する。
【００７２】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭに蓄積させるための動作制御指令を発する。この動作制御指令は、ＩＭＡＣ，パラレルバスＩ／Ｆ
７、パラレルバスＰｂを経由して送られる。
【００７３】
この動作制御指令に応答して、画像データはＣＤＩＣからパラレルバスＰｂおよびパラレルバスＩ／Ｆ　７を介してＩＭＡＣに送られる。そして、画像データはＩＭＡＣの制御によりＭＥＭに格納されることになる。
【００７４】
一方、ＡＣＰのシステムコントローラ１は、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ
８を介してプリント出力要求データを受け取る。
【００７５】
汎用的なシリアルバス接続の場合、ＩＭＡＣはシリアルバスＩ／Ｆ　９経由でプリント出力要求データを受け取る。汎用のシリアルバスＩ／Ｆ　９は複数種類の規格に対応しており、たとえばＵＳＢ（Ｕｎｉｖｅｒｓａｌ　Ｓｅｒｉａｌ　Ｂｕｓ）、１２８４または１３９４等の規格のインターフェースに対応する。
【００７６】
ＰＣからのプリント出力要求データはシステムコントローラ１により画像データに展開される。その展開先はＭＥＭ内のエリアである。展開に必要なフォントデータは、ローカルバスＩ／Ｆ　３およびローカルバスＲｂ経由でフォントＲＯＭ６を参照することにより得られる。ローカルバスＲｂは、このコントローラ１を不揮発メモリ５およびＲＡＭ４と接続する。
【００７７】
シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００７８】
システムコントローラ１とＭＥＭおよび各種バスとのデータ送受信は、ＩＭＡＣを経由しておこなわれる。ＭＥＭを使用するジョブはＡＣＰ全体の中で一元管理される。
【００７９】
図５に、図４に示すプリンタ１００，操作ボード２０，画像データ処理装置ＡＣＰ，ＦＣＵ，スキャナ１０，フィニッシャ３４，大容量給紙トレイ３６および給紙バンク３５の各部に動作電圧を与える給電系統の概要を示す。主電源スイッチである元電源スイッチ７９が閉じられると、商用交流１００Ｖが、ＤＣ電源／ＡＣ制御板８０の整流平滑回路８１およびＡＣ回路８６に加わる。整流平滑回路８１の直流出力がＤＣ／ＤＣコンバータ８２に印加される。この例ではＤＣ／ＤＣコンバータ８２は、安定化した＋２４Ｖおよび＋５Ｖの、２系統の直流電圧＋２４ＶＥ，＋５ＶＥを発生する。本例においては＋５ＶはＣＰＵなどの制御系や信号系に使用され、＋２４Ｖはモータ，ソレノイド，クラッチなどのパワー系に使用されている。プリンタ１００のドア或いはカバーが開けられると、それに連動してドアスイッチが開き、スイッチ８４がオンであっても、＋２４Ｖラインは、＋２４ＶＥラインから遮断される。すなわち給電が無くなる。
【００８０】
ＤＣ電源／ＡＣ制御板８０では、コンバータ出力の＋２４ＶＥ（＋２４Ｖの電圧）と＋５ＶＥ（＋５Ｖの電圧）にそれぞれスイッチ８４，８５が接続されている。ＡＣＰのシステムコントローラ１には、休止モード時でも通電状態にある＋５ＶＥが供給される。プリンタ１００のプロセスコントローラ１３１には、休止モード時に通電がオフされる＋５Ｖが供給される。
【００８１】
定着装置のヒータ８７に通電するＡＣ回路８６には、スイッチ８３を通してあたえられる＋２４Ｖによって閉じられる電源リレーがあり、この電源リレーが閉じることにより、ＡＣ回路８６の、定着ヒータ８７に通電する交流通電回路に商用交流ＡＣが印加される。この交流通電回路は、トライアック（位相制御スイッチング素子）を用いる位相制御の交流通電回路であり、定着温度センサ８８の温度検出信号を参照して、定着温度が目標温度になるように、トライアックの導通位相を制御する。
【００８２】
制御系の動作電圧＋５Ｖを給電する上述のスイッチ８５のオン／オフを行うための制御信号がシステムコントローラ１からスイッチ８５に与えられる。プロセスコントローラ１３１には、スイッチ８５がオンすることによって＋５Ｖが印加され、これによってプロセスコントローラ１３１は動作するようになる。
【００８３】
定着装置の目標温度を、トナー像を転写した転写紙の定着処理に定められた定着動作温度として定着ローラの温度をそれに維持する、コピースタートあるいはプリントコマンドに応答して実質上遅れ時間無く画像形成を開始することが出来る「スタンバイ２モード」（作動モード；通常モード）は、システムコントローラ１がプロセスコントローラ１３１に「スタンバイ２モード」の設定を指示し、これに応答してプロセスコントローラ１３１がスイッチ８４および８３をオンにすることによって、実現する。原稿画像をスキャナ１０で読み取ってＰＣに転送する場合、ならびに、ファクシミリ送信する場合には、定着装置１０７のヒータ８７に通電する必要が無いので、「スタンバイ１モード」（画像読み取り専用モード）もあり、これも、システムコントローラ１がプロセスコントローラ１３１に「スタンバイ１モード」の設定を指示し、これに応答してプロセスコントローラ１３１がスイッチ８４のみをオンにすることによって、実現する。
【００８４】
コピー，プリントおよび画像読み取りの何れも必要ないときには、システムコントローラ１は、プロセスコントローラ１３１に「低電力モード」の設定を指示し、これに応じてプロセスコントローラ１３１がスイッチ８５をオフにする。「低電力モード」では、＋２４Ｖラインへの給電を全て停止する。
【００８５】
「休止モード」ではシステムコントローラ１は、＋５Ｖを給電するスイッチ８５をオフにする。この「休止モード」には、「低電力モード」から移行するので、スイッチ８３，８４は既にオフであるので、結局、「休止モード」では全てのスイッチ８３〜８５がオフであり、プロセスコントローラ１３１にも給電はない。
【００８６】
しかし「休止モード」では、スイッチ８３〜８５がオフではあるが、システムコントローラ１および操作ボード２０の、複写機使用の可能性を伺わせるオペータの行為を検知する電気回路，パソコンＰＣのプリントコマンドを検知する電気回路、および、ファクシミリコントロールユニットＦＣＵのファクシミリ受信検知回路に＋５ＶＥが継続して印加される。システムコントローラ１においては、該検知を待ちそれに応答してスイッチ８５をオンにする回路ならびに不揮発保持が必要とされるデータを格納するメモリに＋５ＶＥが継続して印加される。
【００８７】
次の表１に、上述の省エネ切換えの各モードと、給電スイッチ８３〜８５のオン／オフの関係を示し、表２には、上述の各モードで実行可能な情報処理を要約して示す。
【００８８】
【表１】
2004102184.tif 000003
【００８９】
【表２】
2004102184.tif 000004
【００９０】
表２上の「送，受信」はＦＣＵの、プリントアウトを伴なわないファクシミリ送，受信であり、データ保持は、ＭＥＭの蓄積画像データの保持である。
【００９１】
ＤＣ／ＡＣ制御板８０は、スイッチ８５がオンのときに現れる＋５Ｖを、プリンタ１００（プロセスコントローラ１３１），操作ボード２０，ＡＣＰおよびＦＣＵに、待機時および動作時の制御電圧として与える。また、スキャナ１０，フィニッシャ３４，大容量給紙トレイ３６および給紙バンク３５にも、スイッチ８５がオンのときに現れる＋５Ｖを制御電圧として与える。同様に、プリンタ１００内の、動作電圧＋２４Ｖを必要とする電気回路（ドライバ：通電回路）には、スイッチ８４がオンのときに現れる＋２４Ｖを動力電圧として与え、スキャナ１０，フィニッシャ３４，大容量給紙トレイ３６および給紙バンク３５の、動作電圧＋２４Ｖを必要とするドライバにも、動力電圧として与える。
【００９２】
図６の（ａ）に、スイッチ８４の基本構成を示す。ＤＣ／ＤＣコンバータ８２の＋２４ＶＥ出力ラインには、スイッチングトランジスタ８４ａが介挿されており、そのベースにバイアス電圧を与える制御トランジスタ８４ｂのベースに、プロセスコントローラ１３１が導通電位（Ｈ）を印加することにより、制御トランジスタ８４ｂが導通して、これによってスイッチングトランジスタ８４ａが導通する。すなわちオンになる。プロセスコントローラ１３１が非導通電位（Ｌ）を印加することにより、制御トランジスタ８４ｂが非導通に転じ、これによってスイッチングトランジスタ８４ａが非導通に切り換わる。すなわちオフになる。スイッチングトランジスタ８４ａは、ＦＥＴであってもよい。
【００９３】
ダイオード８４ｄは逆電圧のバイパス用、８４ｃはサージ電圧吸収用である。なお、＋２４Ｖライン（出力ライン）に浮遊容量があり、しかもコンデンサ８４ｃが接続されているので、スイッチングトランジスタ８４ａがオンからオフに転じても、＋２４Ｖラインの電圧は瞬時には低下せず、図１２に実線で示すように、緩やかに低下する。この立下りの勾配はコンデンサ８４ｃの容量の調整によって、調整できる。＋２４Ｖラインに接続されている機器又は電気回路がオンであると、或いはそれら又は＋２４Ｖラインが地絡（短絡；ショート）しているときには、スイッチングトランジスタ８４ａがオンからオフに転じたときに、＋２４Ｖラインの電圧は、図１２に点線で示すように、急速に低下する。
【００９４】
図７および図８に、システムコントローラ１の、操作ボード２０のＣＰＵと共同して実行する、スタンバイ２モード，スタンバイ１モード／低電力モード／休止モード間の切換え制御、および、図４に示す画像処理システムの画像入出力制御、を示す。
【００９５】
図７を参照すると、図５に示すＤＣ電源／ＡＣ制御板８０と商用交流電源（コンセント）との間の元電源スイッチ７９が閉じてＤＣ電源／ＡＣ制御板８０が動作電圧を与えると、システムコントローラ１は、電源オン応答の初期化処理（ステップ１）をして、そこで低電力モードを設定する（ステップ２，３）。すなわちスイッチ８５をオンする。次に、低電力モードから休止モードへの切換え待ち時間Ｔｄ２を時限値とするタイマＴｄ２をスタートし（ステップ４）、入力読み取り（ステップ５）を行う。
【００９６】
なお、以下においては、カッコ内にはステップと言う語を省略してステップ番号数字のみを記す。
【００９７】
初期化処理（１）においては、操作ボード２０のＣＰＵがシステムコントローラ１の指示に応じて、操作ボード２０のＮＶＲＡＭにある標準処理モードのコピー条件を読み出して操作ボード２０の液晶ディスプレイに表示する。
【００９８】
入力読み取り（５）では、操作ボード２０のＣＰＵが操作ボード２０に対するユーザの操作（入力）を読み込んでシステムコントローラ１に報知し、また、システムコントローラ１が、パソコンＰＣおよびＦＣＵからのコマンドを解読する。操作ボード２０のＣＰＵは、操作ボード２０に対するユーザの操作に対応して、置数キーの押下の読込みと入力数字データの生成，スタートキーの押下の読込みと、スタート指示のシステムコントローラ１への転送，用紙サイズの切換え入力の読取りなど、通常の複写機の操作読取りおよび表示出力の制御を行う。
【００９９】
低電力モードから休止モードへの切換えの待ち時間Ｔｄ２、ならびに、スタンバイ１モードおよびスタンバイ２モードから低電力モードへの切換えの待ち時間Ｔｄ１は、操作部２０から入力できるものであり、入力値が操作ボード２０のＮＶＲＡＭに格納（登録）されているものである。
【０１００】
「入力読み取り」（５）で、指示入力、例えば、操作ボード２０に対するユーザの操作（置数キーの押下，スタートキーの押下，用紙サイズの切換え，その他），原稿スキャナ１０の原稿押えスイッチの閉（押え位置）から開（開き位置）への変化，ＡＤＦ３０での原稿検知，パソコンＰＣ又はＦＣＵからのプリントコマンド、を受けるとシステムコントローラ１は、指示入力に対応した処理に進む（７−２０）。
【０１０１】
しかし指示入力がないと、タイマＴｄ２がタイムオーバしたかをチエックする（２１，２６，２７）。指示入力が無くタイマＴｄ２がタイムオーバすると、システムコントローラ１は、操作ボード２０の液晶ディスプレイに表示中の画像処理モードを操作ボード２０のＮＶＲＡＭに前回モードとして書込み、モードレジスタＦＴに休止モードであることを示す「０」を書き込んで（２８）、休止モードに移行する（２９）。すなわち、スイッチ８５をオフにする。
【０１０２】
「入力読み取り」（５）で指示入力を認知するとシステムコントローラ１は、指示入力が、操作ボード２０に対するユーザの操作，原稿スキャナ１０の原稿押えスイッチの閉から開への変化，ＡＤＦ３０での原稿検知など、複写使用を伺わせるものであると、或いは、パソコンＰＣ又はＦＣＵからのプリントコマンドであったときには、現在がスタンバイ２モードである場合には、オペレータ或いはＰＣ又はＦＣＵの複写モード設定入力又はプリントモード設定を読込み、プロセスコントローラ１３１を介して、複写又はプリントアウトをする（７−８ａ−８ｉ−８ｊ，８ｋ−９）。そしてタイマＴｄ１をスタートする（１０）。
【０１０３】
現在が休止モードの場合には、まずスイッチ８５をオンにして低電力モードを設定し、これによってプロセスコントローラ１３１が動作可（レディ）になるのを待って、プロセスコントローラ１３１を介して、スタンバイ２モードを設定して、複写又はプリントアウトをする（７−８ａ〜８ｇ−９）。そしてタイマＴｄ１をスタートする（１０）。
【０１０４】
なお、システムコントローラ１が、スイッチ８５をオンにすると、スイッチ８５を通して、ＤＣ／ＤＣコンバータ８２が出力する＋５Ｖがプロセスコントローラ１３１に加わり、プロセスコントローラ１３１は、電源オン応答の初期化処理を行う。そして、プリンタ１００内各部の状態信号（用紙搬送路の残紙有無，給紙カセットの有無，カセット内用紙有無（サイズ検知兼用），ヒータ温度，トナー有無（不足）等々）を取得する。なお、スタンバイ１，２モードおよび低電力モードでは、スイッチ８５がオンであるので、スイッチ８５を通して、ＤＣ／ＤＣコンバータ８２が出力する＋５Ｖがプリンタ１００内の全ての制御電圧ラインに加わっているので、プロセスコントローラ１３１はプリンタ１００内の全箇所の状態信号を収集し、状態レジスタ（プロセッサコントローラ１３１の内部メモリの１領域：状態メモリ）に書込む。
【０１０５】
プロセスコントローラ１３１は、システムコントローラ１が与えるコマンドに従って、その内容（処理モード）の複写，プリント，画像読取、のプロセス制御を行うが、その実行のために、スキャナ１０および周辺ユニット３４〜３６への電源投入およびそれらの状態の読み取りを行う。
【０１０６】
システムコントローラ１は、現在が低電力モードの場合には、プロセスコントローラ１３１を介して、スタンバイ２モードを設定して、モードレジスタＦＴにスタンバイ２モードであることを示す「３」を書き込んで（７−８ａ−８ｉ−８ｅ−８ｆ−８ｇ）、複写又はプリントアウトをする（９）。そしてタイマＴｄ１をスタートする（１０）。
【０１０７】
上述の「スタンバイ２モード」（８ｅ）において、プロセスコントローラ１３１が短絡異常を検出すると、システムコントローラ１は、＋２４Ｖの給電を受ける、プリンタ１００（プロセスコントローラ１３１），給紙バンク３５，大容量給紙トレイ３６，フィニッシャ３４およびスキャナ１０に、順次に自己診断コマンドを送り、各ユニットから自己診断結果を得て、異常ユニットと異常内容を操作ボード２０に表示する（８ｆ，８ｈ）。
【０１０８】
上述の「スタンバイ２モード」が設定されるときにはスイッチ８３，８４および８５がオンであるので、ＡＣ回路８６内の、交流電源スイッチである図示しない電源リレーにスイッチ８４の出力＋２４Ｖが加わり、ＡＣ回路８６内の、定着ヒータ（本実施例ではハロゲンヒータ）８７に通電するトライアック回路（位相制御による交流通電回路）および８６内直流電源回路に商用交流電圧が加わり、該直流電源回路が、ＡＣ回路８６内の、ＡＳＩＣ（Ａｐｐｌｉｃａｔｉｏｎ　Ｓｐｅｃｉｆｉｃ　ＩＣ）である通電コントローラに動作電圧を与える。
【０１０９】
図８も参照すると、ＰＣによる原稿画像読込又はＦＣＵによるファクシミリ送信のための原稿画像読込のときには、システムコントローラ１は、現在がスタンバイ１または２モードである場合には、プロセスコントローラ１３１を介して、原稿スキャナ１０による画像読み取りを行って画像データをＭＥＭに格納し、そしてＰＣ又はＦＣＵへの画像データの転送を行う（７−１１−１２−１８）。これを終えるとタイマＴｄ１をスタートする（１９）。現在が休止モードの場合には、システムコントローラ１は、まずスイッチ８５をオンにして低電力モードを設定し、これによってプロセスコントローラ１３１が動作可（レディ）になるのを待って、プロセスコントローラ１３１を介して、「スタンバイ１モードに移行」（１４）によってスタンバイ１モードを設定して、スキャナ１０による画像読み取りをする（７−１１−１２−１３ａ〜１３ｄ−１４〜１６）。そしてタイマＴｄ１をスタートする（１７）。現在が低電力モードの場合には、プロセスコントローラ１３１を介して、スタンバイ１モードを設定して、スキャナ１０による画像読み取りをする（７−１１−１２−１３ａ〜１３ｄ−１４〜１６）。そしてタイマＴｄ１をスタートする（１７）。
【０１１０】
その中の「スタンバイ１モードに移行」（１４）において、プロセスコントローラ１３１が短絡異常を検出すると、システムコントローラ１は、＋２４Ｖの給電を受ける、プリンタ１００，給紙バンク３５，大容量給紙トレイ３６，フィニッシャ３４およびスキャナ１０に、順次に自己診断コマンドを送り、各ユニットから自己診断結果を得て、異常ユニットと異常内容を操作ボード２０に表示する（１５ａ，１５ｃ）。
【０１１１】
上述の複写，プリントアウト又は画像読み取りを直接に指示しない入力、例えば、操作ボード２０の電源キーのオン，ドア開閉，初期設定キー入力，管理用キー入力、があると、それを読み込んで入力対応の処理を行う（２０）。
【０１１２】
スタンバイ１又は２モードを設定した状態で、指示入力が無くタイマＴｄ１がタイムオーバすると、システムコントローラ１は、プロセスコントローラ１３１を介して「低電力モードに移行」（２３）によって、スイッチ８３，８４をオフにする。すなわち低電力モードに移行する。そしてタイマＴｄ２をスタートする（５−６−２１−２２〜２５）。
【０１１３】
上述の「低電力モードに移行」（２３）において、プロセスコントローラ１３１が短絡異常を検出すると、システムコントローラ１は、＋２４Ｖの給電を受ける、プリンタ１００，給紙バンク３５，大容量給紙トレイ３６，フィニッシャ３４およびスキャナ１０に、順次に自己診断コマンドを送り、各ユニットから自己診断結果を得て、異常ユニットと異常内容を操作ボード２０に表示する（２４ａ，２４ｂ）。
【０１１４】
スタンバイ１又は２モードもしくは低電力モードを設定しているときに操作ボード２０の、省エネ関係のモード切換えを指示するための電源キーがオンすると、システムコントローラ１は、ユーザが休止モードへの切換えを指示したとみなして、操作ボード２０の液晶ディスプレイに表示中の画像処理モードを、操作ボード２０のＮＶＲＡＭに前回モードとして書込み、休止モードに移行する。低電力モード又は休止モードを設定しているときに操作ボード２０の電源キーがオンするとシステムコントローラ１は、ユーザがスタンバイ２モードへの切換えを指示したとみなして、スタンバイ２モードを設定し、操作ボード２０のＮＶＲＡＭに書き込んでいる前回画像処理モードを読出して操作ボード２０の液晶ディスプレイに表示する。
【０１１５】
前述のように、システムコントローラ１は、「スタンバイ２モードを設定」（８ｅ）で、プロセスコントローラ１３１に「スタンバイ２モードの設定」（スイッチ８４，８３のオン）を指示し、「スタンバイ２モードの設定」（８ｉ）では、そのときスタンバイモード１でスイッチ８４はオンであるので、スイッチ８３のみのオンを指示する。「スタンバイ２モードに移行」（１５）では、スイッチ８４のみのオンを指示する。「低電力モードに移行」（２３）では、スイッチ８４および８３のオフを指示する。
【０１１６】
プロセスコントローラ１３１は、システムコントローラ１の指示に応答して、スイッチ８４，８３のオン／オフを行うが、＋２４Ｖラインへの給電を開始するたの、スイッチ８４のオフからオンへの切換えのとき、ならびに、＋２４Ｖラインへの給電を終了（遮断）するための、スイッチ８４のオンからオフへの切換えのときに、＋２４Ｖライン系統の故障，設定不良（例えばドアオープン，コネクタ未接続，動力機器のドライバが機器に通電する制御状態エラー）などの異常検出を行う。
【０１１７】
図９に、システムコントローラ１の「スタンバイ２モードを設定」（８ｅ）での、スタンバイ２モード設定指示に応答して実行するプロセスコントローラ１３１の制御動作の概要を示す。該設定指示に応答してプロセスコントローラ１３１は、通電フラグレジスタＦＲ（内部メモリの１領域：以下では単に通電ＦＲと表記）に、スイッチ８４，８３の導通（通電）を開始した期間であることを示す「１」を書込んで（３１，３２）、スイッチ８４，８３をＰＷＭでオン／オフ付勢するデューティ５％，周波数３０ＫＨｚのＰＷＭパルス出力を開始する（３４ａ，３５）。そして１００ｍｓｅｃ時限のタイマ１と５００ｍｓｅｃ時限のタイマ２をスタートして、監視レジスタＦＲ（内部メモリの１領域：以下では単に監視ＦＲと表記）に、監視要を示す「１」を書込む（３８）。
【０１１８】
その後タイマ１が時限を完了するとすなわちタイムオーバになると、抵抗９１（図５）の電圧（分圧電圧）をデジタル変換して読み込んで（３３−３９−４０−４１）、それが閾値０．３Ｖ（ライン電圧３Ｖ対応値）以上であると、＋２４Ｖラインの電圧が上昇しているので、異常（短絡異常や、ドライバの制御状態（オン）エラー）は無いとして、タイマ２がタイムオーバするのを待って、ＰＷＭパルス出力のデューティを１００％とする。すなわちスイッチ８４，８３をフル通電にする（３９−４０）。そして、通電ＦＲのデータを導通開始期間でないことを意味する「０」に初期化（クリア）し（４４）、タイマ１，２をリセット（停止）して（４５）、監視ＦＲのデータも、監視期間でないことを意味する「０」に初期化する（４６）。
【０１１９】
なお、タイマ１がタイムオーバしてから、タイマ２がタイムオーバするまでは、制御周期（実質上一定周期）で、「電圧読込み」（４１）および電圧チェック（４１）を繰返して、検出電圧が上記閾値０．３Ｖであるときには、プロセスコントローラ１３１はスイッチ８４，８３をオフ（ＰＷＭデューティ０％：遮断）にして（４７）、＋２４Ｖラインの短絡異常をシステムコントローラ１に報知し、システムコントローラ１が操作ボード２０に該異常を表示する（４８）。この場合には、プロセスコントローラ１３１は、そこで通電ＦＲ，監視ＦＲをクリアし、タイマ１，２をリセットして（４４〜４６）、スタンバイ２モードへの移行は中止する。
【０１２０】
図１０に、システムコントローラ１の「スタンバイ１モードに移行」（１４）での、スタンバイ１モード設定指示に応答して実行するプロセスコントローラ１３１の制御動作の概要を示す。この「スタンバイ１モード設定」の内容は、上述の、図９の「スタンバイ２モードを設定」（８ｅ）と同様であり、そのステップ３４ａ，４７の、ＳＷ８４，８３をスイッチＳＷ８４とし、スイッチＳＷ８３はオフ（遮断）を維持する点でのみ、異なる。すなわち、「スタンバイ１モードに移行」（１４）では、プロセスコントローラ１３１は、ＳＷ８４のみをＰＷＭデューティ５％でオン／オフ付勢し（３４ｂ）、スイッチＳＷ８３はオフ（ＰＷＭデューティ０％）に維持する。
【０１２１】
図１１に、システムコントローラ１の「低電力モードに移行」（２３）での、低電力モード設定指示に応答して実行するプロセスコントローラ１３１の制御動作の概要を示す。該設定指示に応答してプロセスコントローラ１３１は、遮断ＦＲに、スイッチ８４，８３の遮断直後であることを示す「１」を書込んで（５１，５２）、スイッチ８４，８３を遮断（ＰＷＭデューティ０％）にして、１００ｍｓｅｃ時限のタイマ１と３００ｍｓｅｃ時限のタイマ２をスタートして、遮断監視ＦＲに、監視要を示す「１」を書込む（５３〜５７）。そして、＋２４Ｖラインの電圧が、図１２に実線で示す正常な比較的に緩やかな立下りを示すか、或いは、点線で示す比較的に急峻な立下りを示すかを、ステップ５８〜６１で判定する。また、ＳＷ８４が開不能（例えば短絡）かを、ステップ５８，６６，６７で判定する。
【０１２２】
すなわち、その後タイマ１がタイムオーバすると、抵抗９１の電圧をデジタル変換して読み込んで（５３−５８−５９−６０−６１）、それが閾値１．５Ｖ（ライン電圧１５Ｖ対応値）以上であると、＋２４Ｖラインの電圧が急激には低下していないので、異常（短絡異常や、ドライバの制御状態（オン）エラー）は無いとする。その後タイマ２がタイムオーバすると、抵抗９１の電圧をデジタル変換して読み込んで（５３−５８−６６）、それが閾値１．２Ｖ（ライン電圧１２Ｖ対応値）以下であると、＋２４Ｖラインの電圧が低下しているから正常と見なして、遮断ＦＲおよび，遮断監視ＦＲのデータ「０」に初期化（クリア）し、タイマ１，２をリセットして、低電力モードへの移行制御を終了する（６８〜７０）。
【０１２３】
しかし、タイマ１がタイムオーバしたときに検出電圧が閾値１．５Ｖ未満であると異常（＋２４Ｖラインの短絡異常や、ドライバの制御状態（オン）エラー）であるとして、異常をシステムコントローラ１に報知する（５８−５９−６０−６１−６２）。システムコントローラ１は、異常を操作ボード２０に表示する。そしてプロセスコントローラ１３１は、遮断ＦＲおよび，遮断監視ＦＲのデータ「０」に初期化（クリア）し、タイマ１，２をリセットして、低電力モードへの移行制御を終了する（６３〜６５）。
【０１２４】
また、タイマ２がタイムオーバしたときに検出電圧が１．２Ｖを超えていると、スイッチ８５がオフ（開）不能の異常（スイッチ短絡）であるとして、異常をシステムコントローラ１に報知する（５８−６６−６７−７１）。システムコントローラ１は、異常を操作ボード２０に表示する。そしてプロセスコントローラ１３１は、遮断ＦＲおよび，遮断監視ＦＲのデータ「０」に初期化（クリア）し、タイマ１，２をリセットして、低電力モードへの移行制御を終了する（６３〜６５）。
【０１２５】
以上のように、「低電力モードに移行」（２３）では、プロセスコントローラ１３１は、＋２４Ｖラインの短絡異常とスイッチ８４の開放不可異常を判定する。
【０１２６】
なお、上述の第１実施例では、＋２４Ｖラインの電圧を、抵抗９３，９４で分圧してプロセスコントローラ１３１がデジタル変換して読み込んで、上述のステップ４２，６７，６１で閾値と比較して、＋２４Ｖラインの異常の有無を判定するが、図６の（ｂ）に示すように、比較器９５〜９６で閾値電圧と比較して、閾値に対して検出電圧が高いか低いかを表わす２値信号を生成して、これをプロセスコントローラ１３１に供給して、該コントローラが所要のタイミングで該２値信号を参照することによって＋２４Ｖラインの異常の有無を判定するようにしてもよい。図６の（ｂ）に示す、閾値対応の参照電圧（比較電圧）は、＋２４Ｖラインの電圧を抵抗９３，９４で１／１０に分圧した検出電圧に対する閾値電圧値であり、カッコ内には、＋２４Ｖラインの電圧対応の閾値電圧値を示した。図６の（ｂ）に示す比較器９５は、ステップ４２におけるチエックをプロセスコントローラ１３１の代わりに実行するもの、比較器９７は、ステップ６１におけるチェックを、また比較器９６は、ステップ６７におけるチェックを、プロセスコントローラ１３１の代わりに実行するものである。プロセスコントローラ１３１は、この例では、ステップ４２では、比較器９５の出力がＨであるとステップ４７に進む。ステップ６１では、比較器９７の出力がＨであるとステップ６２に進む。ステップ６７では、比較器９６の出力がＨであるとステップ７１に進む。
【０１２７】
−第２実施例−
第２実施例のハードウエアは、上述の第１実施例と同じであるが、プロセスコントローラ１３１の、「スタンバイ２モードを設定」（８ｅ）の内容が少し相違する。これを図１３に示す。
【０１２８】
図１３に示す「スタンバイ２モードを設定」（Ａ８ｅ）においては、タイマ１の代わりに、ループカウンタを用いている。ここでループカウンタは、プロセスコントローラ１３１の、「スタンバイ２モードを設定」（Ａ８ｅ）（サブルーチン）を実行するルーチン（メインルーチン：図示せず）の繰返し実行回数をカウントするものであり、プロセスコントローラ１３１は、システムコントローラ１からスタンバイ２モードの設定が指示されると、「スタンバイ２モードを設定」（Ａ８ｅ）に進んで通電ＦＲに「１」を立てるが（３１，３２）、「スタンバイ２モードを設定」（Ａ８ｅ）を一回経由して「リターン」によりメインルーチンに戻ると、メインルーチンの所定ステージで通電ＦＲに「１」があると「スタンバイ２モードを設定」（Ａ８ｅ）に進むが、「０」であると「スタンバイ２モードを設定」（Ａ８ｅ）は実行しない。ループカウンタは、ここでは、通電ＦＲが「１」である間の、「スタンバイ２モードを設定」（Ａ８ｅ）に進入した回数をカウントするものである。プロセスコントローラ１３１のメインルーチンの繰返し周期（制御周期）は略２ｍｓｅｃであるので、通電ＦＲが「１」である間、略２ｍｓｅｃの周期で「スタンバイ２モードを設定」（Ａ８ｅ）が実行され、ループカウンタが１カウントアップ（カウント値の１インクレメント）が行われる。ループカウンタのカウント値５０は、第１実施例のタイマ１の時限値１００ｍｓｅｃに略相当する。
【０１２９】
第２実施例では、第１実施例と同様に、プロセスコントローラ１３１は、スイッチ８４をデューティ５％、３０ＫＨｚのＰＷＭパルスでオン／オフ付勢するスイッチオン制御を開始するが（３３，３４ａ，３５，Ａ３６，３７）、ループカウンタのカウント値が５０に達するまでは、ループカウンタ１を１カウントアップする度に、ＰＷＭデューティを０．１％アップする（４０ａ，４０ｂ，４０ｃ）。したがって、ループカウント値が５０になるまで、ＰＷＭデューティは順次にアップされて、ループカウント値５０では、ＰＷＭデューティは１０％になっている。このとき、検出電圧が０．３Ｖ以上であるかをチェックし、０．３Ｖ以上であるかぎり、ＰＷＭデューティを１０％に維持したまま、タイマ２がタイムオーバするまで、該チェックを繰り返す。タイマ２がタイムオーバすると、＋２４Ｖラインは正常であるとみて、ＰＷＭデューティを１００％（ＳＷ８４フルオン）にして（３９，４３）、「スタンバイ２モードを設定」（Ａ８ｅ）を終了する（４４〜４６）。その他の処理は、第１実施例の「スタンバイ２モードを設定」（８ｅ）と同様である。
【０１３０】
なお、第２実施例の「スタンバイ１モードに移行」も「スタンバイ２モードを設定」（Ａ８ｅ）と同様であり、そのステップ３４ａおよび４７のＳＷ８４，８３を、ＳＷ８４と読み替えたものになっている。
【０１３１】
この第２実施例では、ＰＷＭデューティが順次にアップするので、＋２４Ｖラインの浮遊容量が大きい場合に、それによる電圧上昇の遅延を補償することができる。電圧上昇検出の時間を短くすることもできる。
【０１３２】
なお、上記第１実施例および第２実施例のいずれにおいても、＋２４Ｖラインのみの電源オン／オフ異常検出を行うが、必要におうじて、＋５Ｖラインの電源オン／オフ異常検出を行う。その場合、＋５Ｖラインのオン／オフは、システムコントローラ１によるスイッチ８５のオン／オフで行われるので、システムコントローラ１が、前述の休止モードから低電力モードに切換えるためにスイッチ８５をオンにするときに、前述のスイッチ８４をオフからオンに切り換えるときの「スタンバイモード１に移行」（１５：図１０）と同様の処理を、システムコントローラ１が行う。その場合、ＳＷ８４はＳＷ８５と読み替え、数値は略５／２４のものとする。また、低電力モードから休止モードに切換えるためにスイッチ８５をオフにするときに、前述のスイッチ８４をオンからオフに切り換えるときの「スタンバイモード１に移行」（１５：図１０）もしくは「スタンバイ２モードを設定」（Ａ８ｅ：図１３）と同様の処理を、システムコントローラ１が行う。その場合、ＳＷ８４もしくはＳＷ８４，８３は、ＳＷ８５と読み替え、数値は略５／２４のものとする。
【０１３３】
【発明の効果】
スイッチング手段（８４）のオフにより給電ライン（＋２４Ｖ）を通電から非通電に移行させると、一般的（定常状態）には、給電ライン（＋２４Ｖ）に接続した負荷系をオフしているため、緩やかに電圧降下が生じる。早い電圧降下の場合、負荷のオフ処理が不完全であるか、レアショート（擬似短絡）状態が生じている可能性があるので、異常を報知する。スイッチング手段（８４）をオンからオフにするときにこの異常検出が行われるので、給電ライン系統の異常検出の機会が増える。また、この異常検出は、負荷駆動に不便を与えない。
【図面の簡単な説明】
【図１】本発明の第１実施例の複合機能がある複写機の外観を示す正面図である。
【図２】図１に示すプリンタ１００の作像機構の概要を示す拡大縦断面図である。
【図３】図１に示す原稿スキャナ１０の読取り機構の概要を示す拡大縦断面図である。
【図４】図１に示す複写機の画像処理システムの概要を示すブロック図である。
【図５】図１および図４に示すプリンタ１００にある、ＤＣ／ＡＣ制御板８０に装備した電源回路の概要と、該電源回路から周辺ユニットに給電する電源ラインを示すブロック図である。
【図６】（ａ）は、図５に示す＋２４Ｖ電源ラインのスイッチＳＷ８４の構成の概要を示す電気回路図であり、（ｂ）は、該＋２４Ｖ電源ラインの電圧検出回路の１変形例を示すブロック図である。
【図７】図４に示すシステムコントローラ１の、スタンバイモード／低電力モード／休止モード間の切換え処理の概要の一部を示すフローチャートである。
【図８】図４に示すシステムコントローラ１の、スタンバイモード／低電力モード／休止モード間の切換え処理の概要の残部を示すフローチャートである。
【図９】図４に示すプロセスコントローラ１３１の、図７に示す「スタンバイ２モードを設定」（８ｅ）の内容を示すフローチャートである。
【図１０】図４に示すプロセスコントローラ１３１の、図８に示す「スタンバイ１モードへ移行」（１４）の内容を示すフローチャートである。
【図１１】図４に示すプロセスコントローラ１３１の、図７に示す「低電力モードに移行」（２３）の内容を示すフローチャートである。
【図１２】図５に示す＋２４Ｖ電源ラインの、スイッチＳＷ８４をオンからオフに切り換えたときの、＋２４Ｖ電源ラインの電圧変化を示すグラフである。
【図１３】本発明の第２実施例での、プロセスコントローラ１３１の、「スタンバイ２モードを設定」（Ａ８ｅ）の内容を示すフローチャートである。
【符号の説明】
１０：カラー原稿スキャナ　２０：操作ボード
３０：自動原稿供給装置　　３４：フィニッシャ
３４ｈｓ：積載降下トレイ　３４ｕｄ：昇降台
３４ｓｔ：ソートトレイ群　９１〜９４：抵抗
１００：カラープリンタ　　ＰＣ：パソコン
ＰＢＸ：交換器　　　　　　ＰＮ：通信回線
１０２：光書込みユニット　１０３，１０４：給紙カセット
１０５：レジストローラ対　１０６：転写ベルトユニット
１０７：定着ユニット　　　１０８：排紙トレイ
１１０Ｍ，１１０Ｃ，１１０Ｙ，１１０Ｋ：感光体ユニット
１１１Ｍ，１１１Ｃ，１１１Ｙ，１１１Ｋ：感光体ドラム
１２０Ｍ，１２０Ｃ，１２０Ｙ，１２０Ｋ：現像器
１６０：転写搬送ベルト　　ＡＣＰ：画像データ処理装置
ＣＤＩＣ：画像データインターフェース制御
ＩＭＡＣ：画像メモリアクセス制御
ＩＰＰ：画像データ処理器
２３１：原稿台ガラス　　２３２：照明ランプ
２３３：第１ミラー　　　２３４：第２ミラー
２３５：第３ミラー　　　２３６：レンズ
２０７：ＣＣＤ　　　　　２３８：走行体モータ
２３９：基準白板　　　　２４０：ガラス
２４１：原稿トレイ　　２４２：ピックアップローラ
２４３：レジストローラ対　２４４：搬送ドラム
２４５：押さえローラ　２４６，２４７：排紙ローラ
２４８：排紙トレイ兼用の圧板
２４９：基点センサ　　　２５０：軸
２５１：スケール　　　　２６０：モータ制御ユニット
【図１】
2004102184.tif 000005
【図２】
2004102184.tif 000006
【図３】
2004102184.tif 000007
【図４】
2004102184.tif 000008
【図５】
2004102184.tif 000009
【図６】
2004102184.tif 000010
【図７】
2004102184.tif 000011
【図８】
2004102184.tif 000012
【図９】
2004102184.tif 000013
【図１０】
2004102184.tif 000014
【図１１】
2004102184.tif 000015
【図１２】
2004102184.tif 000016
【図１３】
2004102184.tif 000017